(57)【要約】【課題】本発明は、型枠のコンクリート上部表面に打ち付ける三角面木を早く綺麗に取り付ける事の出来る三角面木を得るにある。【解決手段】三角面木本体３の三角面木ヨコ面３ｂに釘仮固定具２を一体形成したもので、該釘仮固定具２は釘仮固定体２ａを直角台形４としその直角面４ａ三角面木タテ面３ｃをフラットに合わせ三角面木ヨコ面３ｂの鋭角部を露出させ、直角台形４の斜め面４ｂに釘仮固定用溝型ライン２ｂを設けた釘仮固定具付き三角面木を構成している。【選択図】図１
2009209668.tif 000002
【特許請求の範囲】
【請求項１】
型枠工事のコンクリート上部表面に打ち付ける三角面木において、三角面木本体（３）の三角面木ヨコ面（３ｂ）に釘仮固定具（２）を一体形成したもので、該釘仮固定具（２）は釘仮固定体（２ａ）を直角台形（４）としその直角面（４ａ）と三角面木タテ面（３ｃ）をフラットに合わせ、三角面木ヨコ面（３ｂ）の鋭角部を露出させ直角台形（４）の斜め面（４ｂ）に釘仮固定用溝型ライン（２ｂ）を設けたもので、該釘仮固定用溝型ライン（２ｂ）は下傾斜させ釘が三角面木本体（３）を貫通して固定されるもので、型枠面に取り付けるには先に三角面木用墨を型枠面に出しておき、前記釘仮固定用溝型ライン（２ｂ）に所定間隔に釘を手で差込み仮固定し、該釘付き三角面木を片手で三角面木用墨に合わせハンマーで連続して打ち付け固定するものとした釘仮固定具付き三角面木。
【請求項２】
釘仮固定具（２）において、釘仮固定体（２ａ）を直角三角形（５）とし、三角面木ヨコ面（３ｂ）の直角部に直角三角形（５）の釘穴平行面（５ａ）を合わせ三角面木ヨコ面（３ｂ）の鋭角部を露出させ、該直角三角形（５）の釘穴直角面（５ｂ）に釘仮固定用穴（２ｃ）を所定間隔に設けたもので、該釘仮固定用穴（２ｃ）は下傾斜させ釘が三角面木本体（３）を貫通して固定されるものとした請求項１の釘仮固定具付き三角面木。
【発明の詳細な説明】
【技術分野】
【０００１】本発明は型枠工事のコンクリート上部表面に打ち付ける三角面木に関する。
【背景技術】
【０００２】従来は三角面木を所定の位置に合わせ釘で斜め面を水平方向にハンマーで打ち付けていた。あるいは、三角面木に先に釘をハンマーで打ち付け仮止めしておき所定の位置に合わせてハンマーで打ち付けていた。【０００３】従来技術に、考案の名称（面木）が提案されている。特許文献１参照、又、従来技術に、発明の名称（面取り用部材）が提案されている。特許文献２参照、又、従来技術に、発明の名称（面木）が提案されている。特許文献３参照。
【特許文献１】  実用新案公開平５−６００５
【特許文献２】  登録実用新案第３０３０４４３
【特許文献３】  特許公開平１０−１２１７２２
【発明の開示】
【発明が解決しようとする課題】
【０００４】従来は三角面木を固定するために釘を一本ずつ打つため作業効率が低下していた。あるいは、三角面木に先に釘を仮固定する場合にもハンマーで釘を一本ずつ三角面木に打つため仮止め作業に手間が掛り作業効率が低下していた。【０００５】従来技術の［特許文献１］の難点は、面木の耳部に釘を一本ずつ打つため手間が掛る。又、釘固定部と三角面木本体部が離れているためハンマーで打ち易くなるが釘の固定力の作用が減少してしまい面木裏側にコンクリートが流れ込んでしまう恐れがある。【０００６】従来技術の［特許文献２］の難点は、型枠面に剥離剤を塗った場合や、雨天の場合には接着力が低下する恐れがある。【０００７】従来技術の［特許文献３］の難点は、面木に釘を仮止めするために釘を一本ずつハンマーで打つためその手間が掛る。又、三角面木のコンクリート表面に釘跡が残り綺麗な面木仕上げが出来ない。又、釘打ち付けるときハンマーによる損傷の恐れがある。【０００８】本発明は以上のような従来の欠点に鑑み、面木に釘を簡単に仮固定されハンマーで連続して打ち付けるものとして作業性を高め、又、三角面木本体部を固定することで釘応力を有効に作用するものとし、又、三角面木のコンクリート表面を綺麗に仕上げられるコンクリート上部表面に打ち付ける三角面木を提供することを目的としている。【０００９】本発明の前記ならびにその他の目的と新規な特徴は次の説明を添付図面と照らし合わせて読むと、より完全に明らかになるであろう。ただし、図面はもっぱら解説のためのものであって、本発明の記述的範囲を限定するものではない。
【課題を解決するための手段】
【００１０】上記目的を達成するために本発明は、型枠工事のコンクリート上部表面に打ち付ける三角面木において、三角面木本体３の三角面木ヨコ面３ｂに釘仮固定具２を一体形成したもので、該釘仮固定具２は釘仮固定体２ａを直角台形４としその直角面４ａと三角面木タテ面３ｃをフラットに合わせ、三角面木ヨコ面３ｂの鋭角部を露出させ直角台形４の斜め面４ｂに釘仮固定用溝型ライン２ｂを設けたもので、該釘仮固定用溝型ライン２ｂは下傾斜させ釘が三角面木本体３を貫通して固定されるもので、型枠面に取り付けるには先に三角面木用墨を型枠面に出しておき、前記釘仮固定用溝型ライン２ｂに所定間隔に釘を手で差込み仮固定し、該釘付き面木を片手で三角面木用墨に合わせハンマーで連続して打ち付け固定するものとした釘仮固定具付き三角面木を構成している。【００１１】釘仮固定具２において、釘仮固定体２ａを直角三角形５とし、三角面木ヨコ面３ｂの直角部に直角三角形５の釘穴平行面５ａを合わせ三角面木ヨコ面３ｂの鋭角部を露出させ、該直角三角形５の釘穴直角面５ｂに釘仮固定用穴２ｃを所定間隔に設けたもので、該釘仮固定用穴２ｃは下傾斜させ釘が三角面木本体３を貫通して固定されるものとした上記（００１０）記載の釘仮固定具付き三角面木を構成している。
【発明の効果】
【００１２】  以上の説明から明らかなように、本発明にあっては次に列挙する効果が得られる。
（１）請求項１の構成により、釘を釘仮止め溝型ラインに手で差し込むだけで仮止めされハンマーで連続して打てるので作業性が向上する。【００１３】（２）請求項１の構成により、釘仮止め溝型ラインの方向を下傾斜させることにより三角面木本体を直接固定されるため固定効率が高まる。【００１４】（３）請求項１の構成により、釘仮固定用溝型ラインの方向を下傾斜させることにより水平方向に比べて釘が打ち易くなる。【００１５】（４）請求項１の構成により、釘打ち付け部が三角面木斜め面から離れているのでハンマーによる損傷の恐れがない。【００１６】（５）請求項１の構成により、三角面木の斜め面は釘跡がないので綺麗に仕上る。【００１７】（６）請求項２の構成により、釘を釘仮固定用穴に手で差し込むだけで仮止めされハンマーで連続して打てるので作業性が向上する。【００１８】（７）請求項２、も前記（２）から（５）と同様な効果が得られる。
【発明を実施するための最良の形態】
【００１９】以下、図面に示す発明を実施するための最良の形態により本発明を詳細に説明する。【００２０】図１ないし図６の本発明を実施するための最良の第１の形態において、１は釘仮固定具付き三角面木で材質としては発泡合成樹脂や木製やゴム製や紙製等があり、その一本の長さは一般的な２ｍ程度が可。２は釘仮固定具で釘固定体と釘仮固定用溝型ラインから成る。２ａは仮釘固定体で直角台形や直角三角形等がありその形状に限定しない。２ｂは釘仮固定用溝型ラインで釘は溝に差し込むことより上下二面で押えて仮固定され、その勾配は斜め下方向約２０度程度の角度が好ましく、その溝幅と深さは三角面木の大きさにより釘の長さ及び直径も異なるので使用する釘の長さを指示することで直径が決まりその直径より少し小さい寸法とし釘が約半分程度埋まる深さとする。３は三角面木本体でそのタテ面に欠損部を付けても良くそれにより材料が減少される。４は仮釘固定体の直角台形で比較的小さい三角面木に適する。
【発明を実施するための異なる形態】
【００２１】次に、図７ないし図１２に示す本発明を実施するための異なる形態につき説明する。なお、これらの本発明を実施するための異なる形態の説明に当たって、前記本発明を実施するための最良の第１の形態と同一構成部分には同一符号を付して重複する説明を省略する。
【００２２】図７および図１２に示す本発明を実施するための第２の形態において、前記本発明を実施するための最良の第１の形態と主に異なる点は釘を仮固定するのに穴を適当な間隔に設けた点でこのように形成した釘仮固定具付き三角面木にしても前記本発明を実施するための最良の第１の形態と同様な作用効果が得られる。
【００２３】図７ないし図１２の本発明を実施するための第２の形態において、２ｃは釘仮固定用穴で三角面木の大きさにより釘の長さ及び直径も異なるので使用する釘の長さを指示することで直径が決まりその直径より少し小さい寸法とし釘が約半分程度埋まる深さとする。５は釘仮固定体の直角三角形で比較的大きい三角面木に適する。
【産業上の利用可能性】
【００２４】  本発明は面木を製造する産業で利用される。
【図面の簡単な説明】
【００２５】
【図１】本発明を実施するための最良の第１の形態の釘仮固定具付き三角面木の断面図。
【図２】本発明を実施するための最良の第１の形態の釘仮固定具付き三角面木の正面図。
【図３】本発明を実施するための最良の第１の形態の釘仮固定具付き三角面木の背面図。
【図４】本発明を実施するための最良の第１の形態の釘仮固定具付き三角面木の平面図。
【図５】本発明を実施するための最良の第１の形態の釘仮固定具付き三角面木の底面図。
【図６】本発明を実施するための最良の第１の形態の釘仮固定具付き三角面木の側面図。
【図７】本発明を実施するための第２の形態の釘仮固定具付き三角面木の断面図。
【図８】本発明を実施するための第２の形態の釘仮固定具付き三角面木の正面図。
【図９】本発明を実施するための第２の形態の釘仮固定具付き三角面木の背面図。
【図１０】本発明を実施するための第２の形態の釘仮固定具付き三角面木の平面図。
【図１１】本発明を実施するための第２の形態の釘仮固定具付き三角面木の底面図。
【図１２】本発明を実施するための第２の形態の釘仮固定具付き三角面木の側面図。
【符号の説明】
【００２６】１：釘仮固定具付き三角面木、  ２：釘仮固定具、  ２ａ：釘仮固定体、  ２ｂ：釘仮固定用溝型ライン、  ２ｃ：釘仮固定用穴、  ３：三角面木本体、  ３ａ：三角面木斜め面、  ３ｂ：三角面木ヨコ面、  ３ｃ：三角面木タテ面、  ４：直角台形、  ４ａ：直角面、  ４ｂ：斜め面、  ５：直角三角形、  ５ａ：釘穴平行面、  ５ｂ：釘穴直角面、  ６：釘。
【図１】
2009209668.tif 000003
【図２】
2009209668.tif 000004
【図３】
2009209668.tif 000005
【図４】
2009209668.tif 000006
【図５】
2009209668.tif 000007
【図６】
2009209668.tif 000008
【図７】
2009209668.tif 000009
【図８】
2009209668.tif 000010
【図９】
2009209668.tif 000011
【図１０】
2009209668.tif 000012
【図１１】
2009209668.tif 000013
【図１２】
2009209668.tif 000014